(57)【要約】 【課題】  本発明は、二段重ねの飾り鏡餅において、橙体の載置取付け状態を簡単かつ確実に行う方法を提供することを目的とする。  【解決手段】  全体が適当な厚さと空間部を有して成形する重ね鏡餅器体１の上段部２中央部に小口径の通口３を設け、適当大きさに成る橙体４の底面部５中央部に突起６を設け、この橙体の突起の基端部と前記鏡餅器体の上段部の通口との間には間隙部７を形成するようにし、橙体の突起を前記鏡餅器体の上段部の通口に挿入したとき、前記橙体側の間隙部が前記鏡餅器体の通口内側面部に接合して固定するように成るものである。  【選択図】    図３
2015150268.tif 000002
【特許請求の範囲】
【請求項１】
全体が適当な厚さと空間部を有して成形する重ね鏡餅器体の上段部中央部に小口径の通口を設け、適当大きさに成る橙体の底面部中央部に突起を設け、この橙体の突起の基端部と前記鏡餅器体の上段部の通口との間には間隙部を形成するようにし、橙体の突起を前記鏡餅器体の上段部の通口に挿入したとき、前記橙体側の間隙部が前記鏡餅器体の通口内側面部に接合して固定するように成ることを特徴とする鏡餅。  
【請求項２】
請求項１に記載した鏡餅において、鏡餅器体の上下両段部付近にしめ飾り材を１本の有端の弯曲形に成る弾張り子を通して取付けるように成ることを特徴とする鏡餅。
【発明の詳細な説明】
【技術分野】
【０００１】
本発明は、鏡餅に関するものである。
【背景技術】
【０００２】
現在普及している鏡餅には大別して２種類あり、小型サイズの一体型充填タイプと容器体内に切り餅を個包装した小餅タイプとが存在するところ、いずれの鏡餅にあっても、飾り用の橙体は透明キャップ体で被嵌固定されて店頭で陳列販売する方法がとられているが、これは特許第３０７０５９７号に係る保持具と包装体である。
【０００３】
しかしながら、このような構成の鏡餅を購入して各家で飾る時になると、前記透明キャップ体は不要で邪魔になることから、使用者側ではこのキャップ体を取外して使用したくなるけれども、鏡餅の上段中央部に橙体を載置するとなると、鏡餅の上段中央部と橙体の底面中央部とはそれぞれ水平形面になっていたとしても、極めて不安定な状態に置かれることになる。
【０００４】
そこで、この欠点を改良するものとして、実開平１−１７０６５７号のごとき考案も存したり、橙体の底面水平部に接着剤を介して鏡餅の上段部中央部に接着するものも存したが、いずれも実用性に遠いものであった。
【先行技術文献】
【特許文献】
【０００５】
【特許文献１】特許第３０７０５９７号公報
【特許文献２】特許第３９６４６３３号公報
【特許文献３】特許第４０７７８１４号公報
【特許文献４】実開平１−１７０６５７号公報
【発明の概要】
【発明が解決しようとする課題】
【０００６】
本発明は、二段重ねの飾り鏡餅において、橙体の載置取付け状態を簡単かつ確実に行う方法を提供することを目的とするものである。
【課題を解決するための手段】
【０００７】
本発明は、全体が適当な厚さと空間部を有して成形する重ね鏡餅器体の上段部中央部に小口径の通口を設け、適当大きさに成る橙体の底面部中央部に突起を設け、この橙体の突起の基端部と前記鏡餅器体の上段部の通口との間には間隙部を形成するようにし、橙体の突起を前記鏡餅器体の上段部の通口に挿入したとき、前記橙体側の間隙部が前記鏡餅器体の通口内側面部に接合して固定するように成るものである。
【０００８】
また本発明は、前記構成の鏡餅において、鏡餅器体の上下両段部付近にしめ飾り材を１本の有端の弯曲形に成る弾張り子を通して取付けるように成るものである。
【発明の効果】
【０００９】
本発明は、このような構成から成るものであるため、次の効果を発揮することができるのである。
【００１０】
第１に、橙体を重ね餅体の上段部中央部に定置することが、橙体の底面部中央部の突起基端部に設けた凹溝状の間隙部による、餅体の上段部中央部の通口内側面部への接合によって密着して固定することができるようになり、その上に被嵌していた透明キャップの設置を全く不要とし、極めて使用し易い鏡餅セットとなる。
【００１１】
第２に、重ね餅体の上下両段部付近には、しめ飾り材を取付けた１本の有端の弾張り子を掛け止めるようにするから、しめ飾り材を一本の弾張り子の弾力性によって確実かつ簡単に取付けることができるようになり、またその脱離も簡単にできるようになる。
【図面の簡単な説明】
【００１２】
【図１】本発明に係る橙体の正面図
【図２】二段重ねに成る鏡餅器体の平面図
【図３】橙体を鏡餅器体の上面部に設置した正断面図
【図４】しめ飾り材の斜視図
【図５】しめ飾り材を取り付けた鏡餅器体の背斜視図
【発明を実施するための形態】
【００１３】
本発明に係る鏡餅にあっては、橙体の成形時に葉材に止着するための上部突起と餅器体の上段部に止着するための下部突起とは同時成形により製作するが、その突起の長さは任意である。
【００１４】
組み立て時には、上部突起に葉材を止着した橙体の下部突起を、餅器体の上段部中央の通口に挿入すると、突起の基端部の凹溝状に成る間隙部が前記通口の内側面部に密に接合して止着するようになるから、この状態で陳列販売すればよいし、購入後は、そのままの状態で適所に配置すればよい。
【００１５】
また、使用時には、鏡餅器体の上段部と下段部との中間部付近において弾張り子をその弾発性を利用して取付ければよい。
【００１６】
その脱着も必要に応じて自由に行うことができる。
【実施例】
【００１７】
１は全体が適当な厚さと空間部を有して合成樹脂材にて成形した二段重ねの鏡餅器体で、この鏡餅器体の上段部２の中央中心部には小口径の通口３を設ける。
【００１８】
４は合成樹脂材にて適当大きさに成形した橙体で、この橙体の底面部５の中心部には適当長さの突起６を設ける。この突起６が突設する橙体の底面部は球状形であっても水平形であっても問わない。
【００１９】
７は前記橙体４の突起６の基端部に設ける凹溝状に成る間隙部で、この間隙部は突起６を前記鏡餅器体１の上段部中心部の通口３に挿入したとき、凹溝状の間隙部７が通口３の内側面部に密着接合して橙体４が固定されるようになる。
【００２０】
８は前記鏡餅器体１の下段部２’の底面に設置した敷板で、この敷板の形状は問わない。
【００２１】
９はしめ飾りで、このしめ飾りには一本の有端の弯曲形に成る弾張り子１０を通しているが、この弾張り子１０を前記鏡餅器体１の上下両段部付近に包囲してそれ自体の弾力性で取付けるようにする。
【００２２】
１１は前記鏡餅器体１の上段部に取付く橙体４の上側部中央部に突出した突起に装着する葉材で、この葉材の基端部は突起に嵌着する突子１２によって固定される。
【符号の説明】
【００２３】
１                    鏡餅器体
２                    上段部
２’                  下段部
３                    通口
４                    橙体
５                    底面部
６                    突起
７                    凹溝状間隙部
８                    敷板
９                    しめ飾り
１０                  弾張り子
１１                  葉材
１２                  突子
【図１】
2015150268.tif 000003
【図２】
2015150268.tif 000004
【図３】
2015150268.tif 000005
【図４】
2015150268.tif 000006
【図５】
2015150268.tif 000007
【手続補正書】
【提出日】平成26年3月25日(2014.3.25)
【手続補正１】
【補正対象書類名】明細書
【補正対象項目名】全文
【補正方法】変更
【補正の内容】
【発明の詳細な説明】
【技術分野】
【０００１】
本発明は、鏡餅に関するものである。
【背景技術】
【０００２】
現在普及している鏡餅には大別して２種類あり、小型サイズの一体型充填タイプと容器体内に切り餅を個包装した小餅タイプとが存在するところ、いずれの鏡餅にあっても、飾り用の橙体は透明キャップ体で被嵌固定されて店頭で陳列販売する方法がとられているが、これは特許第３０７０５９７号に係る保持具と包装体である。
【０００３】
しかしながら、このような構成の鏡餅を購入して各家で飾る時になると、前記透明キャップ体は不要で邪魔になることから、使用者側ではこのキャップ体を取外して使用したくなるけれども、鏡餅の上段中央部に橙体を載置するとなると、鏡餅の上段中央部と橙体の底面中央部とはそれぞれ水平形面になっていたとしても、極めて不安定な状態に置かれることになる。
【０００４】
そこで、この欠点を改良するものとして、実開平１−１７０６５７号のごとき考案も存したり、橙体の底面水平部に接着剤を介して鏡餅の上段部中央部に接着するものも存したが、いずれも実用性に遠いものであった。
【先行技術文献】
【特許文献】
【０００５】
【特許文献１】特許第３０７０５９７号公報
【特許文献２】特許第３９６４６３３号公報
【特許文献３】特許第４０７７８１４号公報
【特許文献４】実開平１−１７０６５７号公報
【発明の概要】
【発明が解決しようとする課題】
【０００６】
本発明は、二段重ねの飾り鏡餅において、橙体の載置取付け状態を簡単かつ確実に行う方法を提供することを目的とするものである。
【課題を解決するための手段】
【０００７】
本発明は、全体が適当な厚さと空間部を有して成形する重ね鏡餅器体の上段部中央部に小口径の通口を設け、適当大きさに成る橙体の底面部中央部に突起を設け、この橙体の突起の基端部と前記鏡餅器体の上段部の通口との間には間隙部を形成するようにし、橙体の突起を前記鏡餅器体の上段部の通口に挿入したとき、前記橙体側の間隙部が前記鏡餅器体の通口内側面部に接合して固定するように成るものである。
【０００８】
また本発明は、前記構成の鏡餅において、鏡餅器体の上下両段部付近にしめ飾り材を１本の有端の弯曲形に成る弾張り子を通して取付けるように成るものである。
【発明の効果】
【０００９】
本発明は、このような構成から成るものであるため、次の効果を発揮することができるのである。
【００１０】
第１に、橙体を重ね餅体の上段部中央部に定置することが、橙体の底面部中央部の突起基端部に設けた凹溝状の間隙部による、餅体の上段部中央部の通口内側面部への接合によって密着して固定することができるようになり、その上に被嵌していた透明キャップの設置を全く不要とし、極めて使用し易い鏡餅セットとなる。
【００１１】
第２に、重ね餅体の上下両段部付近には、しめ飾り材を取付けた１本の有端の弾張り子を掛け止めるようにするから、しめ飾り材を一本の弾張り子の弾力性によって確実かつ簡単に取付けることができるようになり、またその脱離も簡単にできるようになる。
【図面の簡単な説明】
【００１２】
【図１】本発明に係る橙体の正面図
【図２】二段重ねに成る鏡餅器体の平面図
【図３】橙体を鏡餅器体の上面部に設置した正断面図
【図４】しめ飾り材の斜視図
【図５】しめ飾り材を取り付けた鏡餅器体の背斜視図
【図６】御幣の斜視図
【図７】御幣の取付け状態を示した一部切欠正面図
【発明を実施するための形態】
【００１３】
本発明に係る鏡餅にあっては、橙体の成形時に葉材に止着するための上部突起と餅器体の上段部に止着するための下部突起とは同時成形により製作するが、その突起の長さは任意である。
【００１４】
組み立て時には、上部突起に葉材を止着した橙体の下部突起を、餅器体の上段部中央の通口に挿入すると、突起の基端部の凹溝状に成る間隙部が前記通口の内側面部に密に接合して止着するようになるから、この状態で陳列販売すればよいし、購入後は、そのままの状態で適所に配置すればよい。
【００１５】
また、使用時には、鏡餅器体の上段部と下段部との中間部付近において弾張り子をその弾発性を利用して取付ければよい。
【００１６】
その脱着も必要に応じて自由に行うことができる。
【実施例】
【００１７】
１は全体が適当な厚さと空間部を有して合成樹脂材にて成形した二段重ねの鏡餅器体で、この鏡餅器体の上段部２の中央中心部には小口径の通口３を設ける。
【００１８】
４は合成樹脂材にて適当大きさに成形した橙体で、この橙体の底面部５の中心部には適当長さの突起６を設ける。この突起６が突設する橙体の底面部は球状形であっても水平形であっても問わない。
【００１９】
７は前記橙体４の突起６の基端部に設ける凹溝状に成る間隙部で、この間隙部は突起６を前記鏡餅器体１の上段部中心部の通口３に挿入したとき、凹溝状の間隙部７が通口３の内側面部に密着接合して橙体４が固定されるようになる。
【００２０】
８は前記鏡餅器体１の下段部２’の底面に設置した敷板で、この敷板の形状は問わない。
【００２１】
９はしめ飾りで、このしめ飾りには一本の有端の弯曲形に成る弾張り子１０を通しているが、この弾張り子１０を前記鏡餅器体１の上下両段部付近に包囲してそれ自体の弾力性で取付けるようにする。
【００２２】
１１は前記鏡餅器体１の上段部に取付く橙体４の上側部中央部に突出した突起に装着する葉材で、この葉材の基端部は突起に嵌着する突子１２によって固定される。
【００２３】
１３は御幣（ごへい）で、左右に分岐する紅白交互の飾り片から成るもので、前記二段重ねの鏡餅器体１の正面部に飾り付けられる。  
【００２４】
１４は前記御幣１２の中間上端部に設けた通孔で、この通孔は御幣の取付け時には、前記鏡餅器体１の上端部中心に設けた通口３に位置し、橙体４の底面部に設けた突起６によって挿入されかつ固定されることになる。  
【符号の説明】
【００２５】
１                    鏡餅器体
２                    上段部
２’                  下段部
３                    通口
４                    橙体
５                    底面部
６                    突起
７                    凹溝状間隙部
８                    敷板
９                    しめ飾り
１０                  弾張り子
１１                  葉材
１２                  突子
１３ 御幣
１４ 御幣の通孔
【手続補正２】
【補正対象書類名】図面
【補正対象項目名】図６
【補正方法】追加
【補正の内容】
【図６】
2015150268.tif 000008
【手続補正３】
【補正対象書類名】図面
【補正対象項目名】図７
【補正方法】追加
【補正の内容】
【図７】
2015150268.tif 000009